(57)【特許請求の範囲】
【請求項１】
採光窓を備えるドアであって、
開口部を有する断熱材と、
前記開口部に配置され前記採光窓を形成する複層ガラスと、
前記複層ガラスの周端部を収容し当該複層ガラスとともに前記開口部に設けられる金属製の窓枠と、
中空部を備え前記窓枠の室内側及び室外側に設けられる合成樹脂製の樹脂枠と、
を有し、
前記樹脂枠は、前記中空部を形成して前記窓枠より内周側に延出する樹脂延出部を有し、
前記樹脂延出部には、前記複層ガラス側に突出し前記樹脂枠の他の部位よりも軟質な突出片が一体に設けられていることを特徴とするドア。
【請求項２】
請求項１に記載のドアであって、
前記複層ガラスは、対面する複数のガラス板の前記周端部にスペーサーが介在されて前記複数のガラス板間に中空層を有しており、
前記樹脂枠の前記中空部と、前記複層ガラスの前記中空層とは、見込み方向において重なっていることを特徴とするドア。
【請求項３】
請求項１または請求項２に記載のドアであって、
前記樹脂延出部は、前記中空部の前記複層ガラス側に、他の中空部を備えていることを特徴とするドア。
【請求項４】
請求項１乃至請求項３のいずれかに記載のドアと、
前記ドアを支持する枠体と、を有することを特徴とする建具。
【発明の詳細な説明】
【技術分野】
【０００１】
本発明は、採光窓を備えているドア及び建具に関する。
【背景技術】
【０００２】
採光窓を備えているドアとしては、例えば、ドア枠体とともに建具を構成し、薄板状の室内表面材と室外表面材との間に略板状の断熱材が挟持されており、断熱材の一部が刳り抜かれて窓が取り付けられているドアが知られている（例えば、特許文献１参照）。このドアの窓は、複層ガラスからなるパネル体が金属枠材によって保持されており、金属枠材の室内側面には、樹脂枠材が嵌合固定されて、断熱性の確保が図られている。そして、金属枠材の室外側には、パネル体の室外面に当接する押縁部材が取付けられており、金属枠材の室内側には、パネル体の室内面に対して当接する水密部材が取付けられている。パネル体は、押縁部材及び水密部材に挟持されることにより全周に渡る水密性を確保して設けられている。
【先行技術文献】
【特許文献】
【０００３】
【特許文献１】特開２００８−２９７７８４号公報
【発明の概要】
【発明が解決しようとする課題】
【０００４】
上記のようなドアは、金属枠材の室内側に樹脂枠材が設けられているが、室外側には樹脂枠材が設けられていないので室外側の温度変化が室内側に伝わりやすい。また、パネル体は押縁部材及び水密部材に挟持されているので、パネル体と、金属枠材や樹脂枠材などの枠材との間に押縁部材及び水密部材を挿入するスペースや押縁部材及び水密部材を取り付けるため部位を形成しなければならない。このため、金属枠材の室外側にも樹脂枠材を備えるとドアの厚みが厚くなることにより、ドアを構成する各部材が大きくなる、或いは、重量が重くなるなどするとともにドアのコストが高くなるという課題がある。
【０００５】
本発明は、かかる課題に鑑みてなされたものであり、その目的とするところは、厚みを抑えつつも断熱性に優れたドア及び建具を提供することにある。
【課題を解決するための手段】
【０００６】
かかる目的を達成するために本発明のドアは、採光窓を備えるドアであって、開口部を有する断熱材と、前記開口部に配置され前記採光窓を形成する複層ガラスと、前記複層ガラスの周端部を収容し当該複層ガラスとともに前記開口部に設けられる金属製の窓枠と、中空部を備え前記窓枠の室内側及び室外側に設けられる合成樹脂製の樹脂枠と、を有し、前記樹脂枠は、前記中空部を形成して前記窓枠より内周側に延出する樹脂延出部を有し、前記樹脂延出部には、前記複層ガラス側に突出し前記樹脂枠の他の部位よりも軟質な突出片が一体に設けられていることを特徴とする。
【０００７】
このようなドアによれば、断熱材の開口部に複層ガラスとともに設けられる金属製の窓枠の室内側及び室外側に合成樹脂製の樹脂枠が設けられているので、窓枠の室内側にも室外側にも断熱層を設けることが可能である。また、窓枠の室内側及び室外側に設けられる樹脂枠は中空部を有しているので、より断熱性を高めることが可能である。
【０００８】
更に、樹脂枠には、窓枠より内周側に延出する樹脂延出部に、複層ガラス側に突出する軟質の突出片が一体に設けられているので、押縁部材及び水密部材を別途設ける必要がない。このため、押縁部材及び水密部材を挿入するスペースや押縁部材及び水密部材を取り付けるため部位を、窓枠や樹脂枠に備える必要ないので、窓枠の室内側と室外側とに、中空部を有する樹脂枠を設けたとしても、断熱ドアの厚みを抑えることが可能である。このため、厚みを抑えつつも断熱性に優れたドアを提供することが可能である。
【０００９】
かかるドアであって、前記複層ガラスは、対面する複数のガラス板の前記周端部にスペーサーが介在されて前記複数のガラス板間に中空層を有しており、前記樹脂枠の前記中空部と、前記複層ガラスの前記中空層とは、見込み方向において重なっていることが望ましい。
このようなドアによれば、樹脂枠の中空部と複層ガラスが備える中空層とが見込み方向において重なっているので、中空部と中空層とにより、断熱性が高い領域が続く断熱ラインが形成されるので、より高い断熱性を備えることが可能である。
【００１０】
かかるドアであって、前記樹脂延出部は、前記中空部の前記複層ガラス側に、他の中空部を備えていることが望ましい。
このようなドアによれば、樹脂延出部が、中空部と複層ガラスとの間に位置する他の中空部を備えているので、更に優れた断熱性を備えることが可能である。
【００１１】
また、前記ドアと、前記ドアを支持する枠体と、を有することを特徴とする建具である。
このような建具によれば、厚みを抑えつつも断熱性に優れたドアを有する建具を提供することが可能である。
【発明の効果】
【００１２】
本発明によれば、厚みを抑えつつも断熱性に優れたドア及び建具を提供することが可能である。
【図面の簡単な説明】
【００１３】
【図１】本実施形態に係る採光窓を備えたドアを有する建具の外観図である。
【図２】本実施形態に係る採光窓を備えたドアを有する建具の縦断面図である。
【図３】本実施形態に係る採光窓を備えたドアを有する建具の横断面図である。
【図４】図３におけるＡ部の拡大図である。
【発明を実施するための形態】
【００１４】
以下、本発明の一実施形態に係る採光窓を備えたドア及び建具について図面を参照して説明する。
本実施形態の建具１０は、例えば、図１に示すようなほぼ正方形状をなす４つの採光窓１ａを有し断熱性を備えた玄関用のドア１と、このドアを回動自在に支持する枠体１０ａと、を有している。
【００１５】
以下の説明においては、建具１０を室外側から見たときに、上下となる方向を上下方向、左右となる方向を左右方向、奥行き方向を見込み方向として示す。建具１０の各部位であっても、また、建具１０を構成する各部材については単体の状態であっても、上下方向、左右方向、見込み方向となる方向にて方向を特定して説明する。
【００１６】
本実施形態のドア１は、図２、図３に示すように、矩形状に枠組みされた枠部材２と、枠部材２を室内側と室外側とから挟み枠部材２にて囲まれる領域を覆い採光窓１ａを形成する４つの外面材開口３ａを備えて鋼板でなる一対の外面材３と、枠部材２にて囲まれた領域内にて外面材３にて覆われた空間内に設けられほぼ中央に縦長の断熱材開口部４ａを有するパネル状の断熱材４と、断熱材開口部４ａに配置される複層ガラス５と、複層ガラス５の周端部５ｄと断熱材開口部４ａとの間に配置されるアルミニウム製の窓枠６と、窓枠６の室内側及び室外側にそれぞれ設けられる合成樹脂製の樹脂枠７と、外面材開口３ａの内周側に取り付けられて複層ガラス５の一部を露出させる開口８ａを有する額縁材８と、を有している。
【００１７】
外面材３には各々、採光窓１ａを形成する４つの外面材開口３ａが上下方向に並べて設けられており、断熱材４には、外面材３が枠部材２に取り付けられたときに４つの外面材開口３ａを含む領域に断熱材開口部４ａが配置されている。
【００１８】
断熱材開口部４ａの内周部には、４つの外面材開口３ａが設けられている領域を囲むように、室内側の外面材３と室外側の外面材３とが互いに対面し、断熱材４が配置されていない部位が、図４に示すように、断熱材開口部４ａの内周面側に窪む凹部１ｂをなしている。また、各外面材開口３ａの内周端部には、室内側及び室外側の外面材３において、互いに対向する側に突出された突出縁部３ｂが設けられている。
【００１９】
本実施形態の複層ガラス５は、３枚のガラス板５ａが、それらの周端部に全周に渡って設けられたアルミニウム製のスペーサー５ｂにより厚み方向に互いに間隔を空けて配置され、互いに対面するガラス板５ａの間に中空層５ｃがそれぞれ設けられている。
【００２０】
窓枠６は、押出成形材でなる同一の窓枠材６１が、上下と左右とに配置され、各々隣接する窓枠材６１が端部で接合されて矩形状をなしている。各窓枠材６１は、見込み方向に間隔を空けて対向する室内壁部６１ａ及び室外壁部６１ｂと、室内壁部６１ａと室外壁部６１ｂとを見込み方向に繋ぐ板状の見込壁部６１ｃと、を有している。室内壁部６１ａと室外壁部６１ｂとにおいて見込壁部６１ｃより内周側には、複層ガラス５の周端部５ｄが収容され、見込壁部６１ｃより外周側の部位は樹脂枠７を係止する係止片６１ｄをなしている。また、室内壁部６１ａと室外壁部６１ｂとの間に収容された複層ガラス５の周端面５ｅは見込壁部６１ｃと対向する。
【００２１】
室内側及び室外側の樹脂枠７は、同一の部材であり、各々の樹脂枠７は、押出成形材でなる同一の樹脂枠材７１が、上下と左右とに配置され、各々隣接する窓枠材７１の端部同士が突き合わされて接合され矩形状をなしている。各樹脂枠材７１は、長手方向に沿って貫通し、断面形状が矩形をなす中空部７１ａを有している。窓枠６に取り付けられる樹脂枠７は、中空部７１ａが窓枠６の見込壁部６１ｃより外周側から室内壁部６１ａまたは室外壁部６１ｂより内周側に至るように配置されている。ここで、中空部７１ａを形成して室内壁部６１ａまたは室外壁部６１ｂより内周側に延出している部位が樹脂延出部７１ｂに相当する。本実施形態の樹脂枠７が有する中空部７１ａは、見込み方向に沿うリブ７１ｃが設けられて剛性が高められている。
【００２２】
樹脂延出部７１ｂは、中空部７１ａに対してドア１の厚み方向における内側、すなわち複層ガラス５側に、他の中空部としての内側中空部７１ｋを備えて突出し、複層ガラス５と対向するガラス対向部７１ｅを有している。ガラス対向部７１ｅには、内側中空部７１ｋを形成する複層ガラス５側の壁部が樹脂延出部７１ｂより外周側に延出されて、室内壁部６１ａまたは室外壁部６１ｂの内周側の縁部を係止する係止部７１ｄが設けられている。このため、内側中空部７１ｋは、中空部７１ａと複層ガラス５との間であって、室内壁部６１ａまたは室外壁部６１ｂの内周側に位置している。
【００２３】
突出片７１ｆは、樹脂枠７の他の部位よりも軟質な部材にて一体に成形されており、ガラス対向部７１ｅにおける、面内方向に並べて内周側と外周側とに２つ設けられている。外周側の突出片７１ｆは、内周側の突出片７１ｆより長く突出されており、複層ガラス５の表面に当接され水密を確保するように構成されている。また、室内側及び室外側の樹脂枠７に設けられている内周側の突出片７１ｆの先端は、複層ガラス５の厚みより僅かに広い間隔を空けて配置されており、複層ガラス５の見込み方向における位置の規制部をなしている。
【００２４】
樹脂延出部７１ｂより外周側の部位は、中空部７１ａを形成しドア１の厚み方向における内側の壁部７１ｇに突起７１ｈが設けられており、突起７１ｈが窓枠６の室内壁部６１ａまたは室外壁部６１ｂに当接されている。中空部７１ａを形成しドア１の厚み方向における外側の壁部７１ｉは、中空部７１ａより外周側に延出されており、延出された外周側の端部が厚み方向における内側に延出されて、室内壁部６１ａ及び室外壁部６１ｂの外周側の部位に係止される被係止部７１ｊをなしている。
【００２５】
複層ガラス５は、当該複層ガラス５の外周を囲む矩形状の窓枠６との間にセッティングブロックを介して組み込まれており、各樹脂枠７の係止部７１ｄに窓枠６の室内壁部６１ａが係止され、窓枠６の室外壁部６１ｂに被係止部７１ｊが係止されて窓枠６の室内側及び室外側に樹脂枠７がそれぞれ設けられている。この状態で、各樹脂枠７に設けられた外周側の各突出片７１ｆが複層ガラス５の表面に当接され、互いに対向する内周側の突出片７１ｆの間に複層ガラス５が配置されている。
【００２６】
樹脂延出部７１ｂは、複層ガラス５の周端部５ｄに設けられているスペーサー５ｂより内周側に突出しており、樹脂延出部７１ｂが有する中空部７１ａ及び内側中空部７１ｋと複層ガラス５が有する中空層５ｃとが見込み方向において重なるように、複層ガラス５が窓枠６に対して配置されている。
【００２７】
被係止部７１ｊは、樹脂枠７において中空部７１ａを形成して剛性が高い部位と離して形成されており、撓み変形して室内壁部６１ａ及び室外壁部６１ｂの外周側の縁に被係止部７１ｊが係止されやすく構成されている。
【００２８】
そして、複層ガラス５の周端部を収容している窓枠６及び窓枠６に嵌合されている樹脂枠７は、断熱材４の断熱材開口部４ａと、室内側及び室外側にて断熱材４の断熱材開口部４ａより内周側に張り出している外面材３により形成されている凹部１ｂに収容されている。
また、外面材３の上下方向に並んでいる外面材開口３ａ間には、外面材３と複層ガラス５との間にピース状の断熱材４ｂが設けられている。
外面材開口３ａには、合成樹脂製の額縁材８が、突出縁部３ｂに係止されて設けられ、額縁材８の開口８ａが採光窓１ａをなしている。
【００２９】
本実施形態のドア１によれば、断熱材４の断熱材開口部４ａに複層ガラス５とともに設けられる金属製の窓枠６の室内側及び室外側にそれぞれ合成樹脂製の樹脂枠７が設けられているので、窓枠６の室内側にも室外側にも断熱層を設けることが可能である。また、窓枠６の室内側及び室外側にそれぞれ設けられる樹脂枠７は中空部７１ａを有しているので、より断熱性を高めることが可能である。
【００３０】
更に、樹脂枠７には、窓枠６より内周側に延出する樹脂延出部７１ｂに、複層ガラス５側に突出する軟質の突出片７１ｆが一体に設けられているので、押縁部材及び水密部材などを別途設ける必要がない。このため、押縁部材及び水密部材を挿入するスペースや押縁部材及び水密部材を取り付けるため部位を、窓枠６や樹脂枠７に備える必要ないので、窓枠６の室内側と室外側とに、中空部７１ａを有する樹脂枠７を設けたとしても、断熱ドア１の厚みを抑えることが可能である。このため、厚みを抑えつつも断熱性に優れたドア１及びこのドア１を有する建具１０を提供することが可能である。
【００３１】
また、樹脂枠７の中空部７１ａと複層ガラス５が備える中空層５ｃとが見込み方向において重なっているので、中空部７１ａと中空層５ｃとにより、断熱性が高い領域が続く断熱ラインが形成されるので、より高い断熱性を備えることが可能である。また、本実施形態においては、樹脂枠７が、中空部７１ａと複層ガラス５との間であって、窓枠６の室内壁部６１ａ及び室外壁部６１ｂの内周側にも内側中空部７１ｋを備えているので、更に優れた断熱性を備えることが可能である。このとき、内側中空部７１ｋも中空部７１ａとともに複層ガラス５が備える中空層５ｃと見込み方向において重なっているので、より一層優れた断熱性を備えることが可能である。
【００３２】
上記実施形態においては、樹脂枠７が、窓枠６の室内側と室外側とにそれぞれ別体として設けられている例について説明したが、樹脂枠は、窓枠の室内側と室外側とに設けられていれば、一体であっても構わない。
【００３３】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３４】
１  ドア、１ａ  採光窓、４  断熱材、４ａ  開口部、５  複層ガラス、
５ａ  ガラス板、５ｂ  スペーサー、５ｃ  中空層、５ｄ  複層ガラスの周端部、
６  窓枠、７  樹脂枠、１０  建具、１０ａ  枠体、７１ａ  中空部、
７１ｂ  樹脂延出部、７１ｆ  突出片、７１ｋ  内側中空部、
【図１】
0006608755.tif 000002
【図２】
0006608755.tif 000003
【図３】
0006608755.tif 000004
【図４】
0006608755.tif 000005